(57)【要約】【課題】主として複数種類のパターンの符号誤り率を測定する符号誤り率測定装置において、回路規模を縮小することでコストの低減を図ることができる符号誤り率測定装置を提供する。【解決手段】パターン一致検出部１０は、符号誤り率を測定するために用いるパターンの種類毎に、その一部として含まれる特定のパターンを検出パターンとして記憶し、受信パターンＰ１０と、このパターンに応じた検出パターンとの一致不一致を検出する。受信パターンＰ１０と検出パターンとの一致が検出されてトリガ信号Ｔｒが出力された時点で、ＰＮパターン生成部１１からＰＮパターンの発生を開始させ、又は、フレームパターン期待値レジスタ１３からフレームパターンの出力を開始させる。これにより、誤り率検出部１５に入力される受信パターンＰ１０と基準パターンＰ１１又は基準パターンＰ１２との同期がとられる。【選択図】　図１
2004096426.tif 000002
【特許請求の範囲】
【請求項１】
複数種類のパターンを用いて対象物で生ずる符号誤り率を測定する符号誤り率測定装置であって、
前記パターンの種類に応じた特定の要素パターンを前記パターンの種類毎に記憶し、前記対象物から得られる受信パターンに応じた要素パターンを用いて前記受信パターンに含まれる特定の要素パターンを検出して、その旨を示すトリガ信号を出力する同期検出部と、
前記同期検出部から出力されるトリガ信号に基づいて、前記複数種類のパターンの内の少なくとも１つを期待値パターンとして出力するパターン発生部と、
前記パターン発生部から出力される期待値パターンのうち、前記対象物から得られる受信パターンの種類に応じた期待値パターンを選択する選択部と、
前記選択部で選択された期待値パターンと前記対象物から得られる受信パターンとの一致不一致を検出する誤り率検出部と
を備えることを特徴とする符号誤り率測定装置。
【請求項２】
前記複数種類のパターンは、少なくとも疑似ランダムパターンとフレーム構造のパターンとを含むことを特徴とする請求項１記載の符号誤り率測定装置。
【請求項３】
前記同期検出部は、前記疑似ランダムパターンのパターン周期の一部を前記要素パターンとして記憶するとともに、前記フレーム構造に依存する固有のパターンを前記要素パターンとして記憶することを特徴とする請求項２記載の符号誤り率測定装置。
【請求項４】
前記パターン発生部は、前記受信パターンの段数に応じたマーク率１／２の疑似ランダムパターンを発生する疑似ランダムパターン発生部と、
前記疑似ランダムパターン発生部から発生される疑似ランダムパターンのマーク率を可変して前記期待値パターンの１つとして出力するマーク率可変部と
を含むことを特徴とする請求項２又は請求項３記載の符号誤り率測定装置。
【請求項５】
前記誤り率検出部は、前記選択部で選択された期待値パターンと前記対象物から得られる受信パターンとの不一致を示す検出結果が、予め設定された閾値以上になった場合に、前記同期検出部に対して前記受信パターンに含まれる特定の要素パターンを検出させる制御信号を出力することを特徴とする請求項１から請求項４記載の符号誤り率測定装置。
【発明の詳細な説明】
【０００１】
【発明の属する技術分野】
本発明は、ディジタル伝送系で生ずるパターンの符号誤り率（Ｂｉｔ　Ｅｒｒｏｒ　Ｒａｔｅ）を測定する符号誤り率測定装置に関する。
【０００２】
【従来の技術】
符号誤り率測定装置は、所定のパターンを発生させて、ディジタル伝送路、ディジタルデバイス等のディジタル伝送系を介したパターンとディジタル伝送系を介さないパターン（期待値パターン）との一致不一致を検出してディジタル伝送系で生ずる符号誤り率を測定するものである。符号誤り率を測定する際に用いるパターンには、疑似ランダムパターン（ＰＮパターン）若しくはそのマーク率を変化させたパターン、又は、フレーム構造を有するパターン等がある。ここで、フレーム構造を有するパターン（以下、フレームパターンという）は、例えばＳＯＮＥＴ／ＳＤＨ（光同期伝送網：Ｓｙｎｃｈｒｏｎｏｕｓ　Ｏｐｔｉｃａｌ　ＮＥＴｗｏｒｋ／同期ディジタル・ハイアラーキ：Ｓｙｎｃｈｒｏｎｏｕｓ　Ｄｉｇｉｔａｌ　Ｈｉｅｒａｒｃｈｙ網）で用いられるパターンがある。
【０００３】
従来の符号誤り率測定装置は、使用するパターンが複数種類ある場合には、各々のパターンの符号誤り率を測定する符号誤り率測定回路を個別に備える。例えばＰＮパターンの符号誤り率を測定するための符号誤り率測定回路とフレームパターンの符号誤り率を測定するための符号誤り率測定回路とを個別に備えている。各符号誤り率測定回路は、基準パターン（期待値パターン）を発生するパターン発生部と、基準パターンとディジタル伝送系を介したパターンとの一致不一致を検出することで符号誤り率を検出する誤り率検出部と、基準パターンとディジタル伝送系を介したパターンとの同期をとるための同期制御部とを含んで構成される。ディジタル伝送系の符号誤り率の測定は、ディジタル伝送系で用いられるパターンに応じて、ユーザが使用する符号誤り率測定回路を選択して行われる。
【０００４】
【発明が解決しようとする課題】
ところで、従来の符号誤り率測定装置が備える符号誤り率測定回路は、パターン発生部からの基準パターンとディジタル伝送系を介したパターンとの同期をとりつつ、その一致不一致を検出することで符号誤り率を検出する点においては共通するものの、パターンの種類毎に同期の検出方法及び同期のとり方が異なる。
【０００５】
例えば、ＰＮパターンの符号誤り率を測定するための符号誤り率測定回路は、基準パターンの発生を一時的に停止させておき、停止させている基準パターンと同一のパターンがディジタル伝送系を介したパターンに含まれていることを検出した時点で基準パターンの発生を再開させることで基準パターンとディジタル伝送系を介したパターンとの同期をとっている。
【０００６】
一方、フレームパターンの符号誤り率を測定するための符号誤り率測定回路は、予めフレームを検出するための検出パターン（値が不変の一定のパターン）をレジスタに記憶させるとともに、１フレーム分の基準パターンをレジスタに記憶させておく。そして、ディジタル伝送系を介したパターンに検出パターンが含まれているか否かを検出し、検出した時点でレジスタから基準パターンを順次読み出すことで基準パターンとディジタル伝送系を介したパターンとの同期をとっている。
【０００７】
このため、パターンの種類毎に個別に符号誤り率測定回路を設ける必要があり、その結果として回路規模が増大して装置のコストが上昇するという問題があった。また、ディジタル伝送系の符号誤り率を測定する際にＰＮパターンを用いる場合には、ＰＮパターンのマーク率が低いときは基準パターンとディジタル伝送系を介したパターンとの同期をとるまでに長時間を要し、パターンの段数が増加すると同期をとるまでに要する時間が更に長くなる。その結果として符号誤り率の測定に要する時間が長くなり、測定効率が悪いという問題があった。
【０００８】
本発明は上記事情に鑑みてなされたものであり、複数種類のパターンの符号誤り率を測定する符号誤り率測定装置において、回路規模を縮小することでコストの低減を図るとともに、測定に要する時間の短縮を図ることで効率よくパターンの符号誤り率を測定することができる符号誤り率測定装置を提供することを目的とする。
【０００９】
【課題を解決するための手段】
上記課題を解決するために、本発明の符号誤り率測定装置は、複数種類のパターンを用いて対象物で生ずる符号誤り率を測定する符号誤り率測定装置であって、前記パターンの種類に応じた特定の要素パターンを前記パターンの種類毎に記憶し、前記対象物から得られる受信パターン（Ｐ１０）に応じた要素パターンを用いて前記受信パターンに含まれる特定の要素パターンを検出して、その旨を示すトリガ信号（Ｔｒ）を出力する同期検出部（１０）と、前記同期検出部から出力されるトリガ信号に基づいて、前記複数種類のパターンの内の少なくとも１つを期待値パターン（Ｐ１１、Ｐ１２）として出力するパターン発生部（１１、１２、１３）と、前記パターン発生部から出力される期待値パターンのうち、前記対象物から得られる受信パターンの種類に応じた期待値パターンを選択する選択部（１４）と、前記選択部で選択された期待値パターン（Ｐ１３）と前記対象物から得られる受信パターンとの一致不一致を検出する誤り率検出部（１５）とを備えることを特徴としている。
この発明によれば、パターンの種類に応じた特定の要素パターンをパターンの種類毎に記憶し、対象物から得られる受信パターンに応じた要素パターンを用いて受信パターンに含まれる特定の要素パターンを検出し、検出した時点で期待値パターンを少なくとも１つ発生させて、対象物から得られる受信パターンの種類に応じた期待値パターンを選択部で選択し、選択した期待値パターンと受信パターンとの一致不一致を検出するようにしている。このため、符号誤り率を測定するために用いるパターンの種類が複数種類あっても１つの装置で符号誤り率を測定することができるため、装置の小規模化、ひいてはコストの低減を図ることができる。また、パターンの種類に応じた要素パターンが受信パターンに含まれる箇所（時点）を検出し、この箇所（時点）をもって期待値パターンの発生を開始させているため、受信パターンと期待値パターンとの同期を短時間でとることができる。その結果として測定に要する時間を短縮することができ、効率よくパターンの符号誤り率を測定することができる。
また、本発明の符号誤り率測定装置は、前記複数種類のパターンが、少なくとも疑似ランダムパターンとフレーム構造のパターンとを含むことが好ましい。
また、本発明の符号誤り率測定装置は、前記同期検出部が、前記疑似ランダムパターンのパターン周期の一部を前記要素パターンとして記憶するとともに、前記フレーム構造に依存する固有のパターンを前記要素パターンとして記憶することが好ましい。
また、本発明の符号誤り率測定装置は、前記パターン発生部が、前記受信パターンの段数に応じたマーク率１／２の疑似ランダムパターンを発生する疑似ランダムパターン発生部（１１）と、前記疑似ランダムパターン発生部から発生される疑似ランダムパターンのマーク率を可変して前記期待値パターンの１つとして出力するマーク率可変部（１２）とを含むことを特徴としている。
更に、本発明の符号誤り率測定装置は、前記誤り率検出部が、前記選択部で選択された期待値パターンと前記対象物から得られる受信パターンとの不一致を示す検出結果が、予め設定された閾値以上になった場合に、前記同期検出部に対して前記受信パターンに含まれる特定の要素パターンを検出させる制御信号（Ｓ３）を出力することを特徴としている。
【００１０】
【発明の実施の形態】
以下、図面を参照して本発明の一実施形態による符号誤り率測定装置について詳細に説明する。図１は、本発明の一実施形態による符号誤り率測定装置の構成を示すブロック図である。図１に示すように、本実施形態の符号誤り率測定装置は、パターン一致検出部１０、ＰＮパターン生成部１１、マーク率可変部１２、フレームパターン期待値レジスタ１３、セレクタ１４、及び誤り率検出部１５を含んで構成される。尚、図１に示す符号誤り率測定装置は、疑似ランダムパターン（ＰＮパターン）とフレーム形式のパターン（フレームパターン）とを用いて対象物としてのディジタル伝送路（図示省略）で生ずる符号誤り率を測定する装置である。
【００１１】
パターン一致検出部１０は、ディジタル伝送路を介した受信パターンＰ１０と、符号誤り率測定装置内で発生させるパターン（基準パターン：本発明にいう期待値パターンに相当する）との同期をとるために、受信パターンＰ１０に含まれる特定のパターンを検出するためものであり、受信パターンＰ１０に含まれる特定のパターンを検出した時にはトリガ信号Ｔｒを出力する。このパターン一致検出部１０は、パターンの種類に応じた特定の検出パターン（要素パターン）をパターンの種類毎に記憶している。
【００１２】
例えば、ディジタル伝送路で生ずる符号誤り率を測定するために用いるパターンがＰＮパターンである場合には、ＰＮパターンの周期性に着目してＰＮパターンのパターン周期の一部（例えば、３２ビット分）を検出パターンとして記憶する。尚、詳細は後述するが、本実施形態においては、段数及びマーク率が異なるＰＮパターンを複数用いてディジタル伝送路の符号誤り率を測定することができるよう構成されており、パターン一致検出部１０は段数及びマーク率が異なるＰＮパターン各々についての検出パターンも記憶している。また、ディジタル伝送路で生ずる符号誤り率を測定するために用いるパターンがフレームパターンである場合にはフレームの形式（フレーム構造）に依存する固有のパターン（例えば、フレーム先頭部分に含まれる３２ビット分）を検出パターンとして記憶する。
【００１３】
パターン一致検出部１０は、入力される受信パターン（シリアル信号）を一時的に記憶する縦続接続された数ビット（例えば、３２ビット）のシフトレジスタと、検出パターンを記憶する数ビット（例えば、３２ビット）のレジスタとを備え、刻々変化するシフトレジスタの値と時間的に変化しないレジスタの値とをビット毎に比較して、受信パターンと検出パタンとの一致不一致を検出する。
【００１４】
また、パターン一致検出部１０には、受信パターンＰ１０がＰＮパターンであるか、又はフレームパターンであるかを示すパターン情報信号Ｓ１と、受信パターンＰ１０がＰＮパターンである場合に、受信パターンＰ１０の段数及びマーク率を示すパターン情報信号Ｓ２とが入力されている。パターン一致検出部１０は、これらパターン情報信号Ｓ１，Ｓ２に基づいて、受信パターンＰ１０に含まれる特定のパターンを検出するために用いる検出パターンを、記憶している検出パターンから選択する。尚、符号誤り率を測定するときには、使用するパターンの種類をユーザが符号誤り率測定装置に入力しておく。選択信号Ｓ１及びパターン情報信号Ｓ２の内容は、ユーザの設定内容に応じて決定される。
【００１５】
ＰＮパターン生成部１１は、パターン情報信号Ｓ１がＰＮパターンを示すもの（例えば、「Ｌ」レベル）であって、パターン一致検出部１０からトリガ信号Ｔｒが出力されると、マーク率１／２のＰＮパターンを発生する。このＰＮパターン生成部１１は、マーク率１／２のＰＮパターンであって異なる段数（例えば、７段、９段、２３段、３１段等）のＰＮパターンを発生する複数のパターン発生器（図示省略）と、パターン情報信号Ｓ２に基づいてこれらのパターン発生器のうちの１つから発生されるＰＮパターンを選択するセレクタ（図示省略）とを含んで構成され、パターン情報信号Ｓ２に応じた段数のＰＮパターンを発生する。
【００１６】
マーク率可変部１２は、ＰＮパターン生成部１１から出力されたＰＮパターンのマーク率を、パターン情報信号Ｓ２で示されるマーク率のＰＮパターンに変換するものである。マーク率可変部１２は、ＰＮパターンのマーク率を異なるマーク率（例えば、１／４のマーク率、１／８のマーク率）に変換する複数の変換器（図示省略）と、これらの変換器によって変換されたＰＮパターンの何れか１つをパターン情報信号Ｓ２に基づいて選択するセレクタ（図示省略）とを含んで構成され、パターン情報信号Ｓ２に応じたマーク率のＰＮパターンを基準パターン（期待値パターン）Ｐ１１として出力する。
【００１７】
フレームパターン期待値レジスタＰ１３は、受信パターンＰ１０がフレームパターンである場合（例えば、「Ｈ」レベルである場合）の、受信パターンＰ１０に対する基準パターンを記憶する。このフレームパターン期待値レジスタ１３に記憶される基準パターンは、例えば１フレーム分のパターンである。フレームパターン期待値レジスタＰ１３は、パターン情報信号Ｓ１がフレームパターンを示すものであって、パターン一致検出部１０からトリガ信号Ｔｒが出力されると、順次フレームを形成するパターンを基準パターンＰ１２として出力する。
【００１８】
セレクタ１４は、パターン情報信号Ｓ１がＰＮパターンを示すものである場合には、マーク率可変部１２から出力される基準パターンＰ１１を選択して基準パターンＰ１３として出力し、パターン情報信号Ｓ１がフレームパターンを示すものである場合には、フレームパターン期待値レジスタ１３から出力される基準パターンＰ１２を選択して基準パターンＰ１３として出力する。
【００１９】
誤り率検出部１５は、パターン一致検出部１０から出力される受信パターンＰ１０とセレクタ１４から出力される基準パターンＰ１３との排他的論理和を演算する演算回路を備え、パターン一致検出部１０からトリガ信号Ｔｒが出力されると、これらのパターンに対する演算を開始する。受信パターンＰ１０と基準パターンＰ１３との排他的論理和を演算することにより、これらのパターン間の一致不一致を検出する。
【００２０】
誤り率検出部１５における演算結果が不一致を示すものである場合（演算結果が「１」である場合）には、受信パターンＰ１０と基準パターンＰ１３との間に相違、即ち符号誤りが生じていることになる。誤り検出部１５は、単位時間当たりの符号誤り率を検出して検出結果を示す結果信号Ｓ１０を出力する。また、誤り率検出部１５には、符号誤り率の閾値が予め設定されている。誤り検出部１５は、検出した符号誤り率が閾値を越えた場合には受信パターンＰ１０と基準信号Ｐ１３とが非同期になったとみなし、受信パターンＰ１０と基準信号Ｐ１３との同期をとるため、パターン一致検出部１５に対して受信パターンＰ１０に含まれる特定のパターンを検出させるための制御信号Ｓ３を出力する。
【００２１】
次に、上記構成における本発明の一実施形態による符号誤り率測定装置の動作について説明する。尚、以下の説明においては、先ずＰＮパターンを用いてディジタル伝送路で生ずる符号誤り率を測定する場合の動作を例に挙げて説明し、次にフレームパターンを用いてディジタル伝送路で生ずる符号誤り率を測定する場合の動作を説明する。
【００２２】
ＰＮパターンを用いて測定を行う場合には、測定を開始する前に、ユーザは予め符号誤り率測定装置に対して、測定に用いるパターンがＰＮパターンであること示す情報を入力するとともに、そのＰＮパターンの段数及びマーク率を示す情報を入力する。以上の操作が終了してユーザが設定したＰＮパターンが送信側から送信されてディジタル伝送路を介すると、受信パターンＰ１０としてパターン一致検出部１０で受信される。
【００２３】
受信パターンＰ１０を受信すると、パターン一致検出部１０において受信パターンＰ１０とユーザが設定したパターン情報信号Ｓ１，Ｓ２で示されるＰＮパターンに応じた検出パターンとの内容の一致不一致が検出される。この検出が行われた受信パターンＰ１０は誤り率検出部１５へ出力されるが、パターン一致検出部１０において内容が不一致であると検出された場合には、パターン一致検出部１０からのトリガ信号Ｔｒが誤り検出部１５に入力されないため、誤り率検出部１５における誤り率の検出は行われない。
【００２４】
一方、パターン一致検出部１０において、受信信号Ｐ１０と検出パターンとの一致が検出されると、パターン一致検出部１０からトリガ信号Ｔｒが出力される。このトリガ信号Ｔｒは、ＰＮパターン生成部１１、フレームパターン期待値レジスタ１３、及び誤り検出部１５に入力される。尚、パターン一致検出部１０は受信パターンＰ１０と検出パターンとの一致を検出してトリガ信号Ｔｒを出力した後は、制御信号Ｓ３が入力されるまで受信パターンＰ１０と検出パターンとの一致不一致を検出する動作を行わない。
【００２５】
ここで、パターン情報信号Ｓ１はＰＮパターンを示すものであるため、トリガ信号ＴｒによってＰＮパターン生成部１１は動作状態となるが、フレームパターン期待値レジスタ１３は非動作状態のままである。ＰＮパターン生成部１１が動作状態になると、ＰＮパターン生成部１１からパターン情報信号Ｓ２で示される段数であって、マーク率１／２のＰＮパターンが出力される。このＰＮパターンはマーク率可変部１２に入力され、パターン情報信号Ｓ２で示されるマーク率に変換されて基準パターンＰ１１として出力される。
【００２６】
マーク率可変部１２から出力された基準パターンＰ１１はセレクタ１４に入力される。セレクタ１４は、パターン情報信号Ｓ１がＰＮパターンを示すものであるため、基準パターンＰ１１を選択して基準パターンＰ１３として出力する。誤り検出部１５は、パターン一致検出部１０からのトリガ信号Ｔｒにより動作状態となっているため、入力される受信パターンＰ１０と基準パターンＰ１３との排他的論理和を演算し、これらのパターン間の一致不一致を検出する。誤り率検出部１５は、単位時間当たりの符号誤り率を検出して検出結果を示す結果信号Ｓ１０を出力する。
【００２７】
誤り検出部１５が以上の検出動作を行っている状態で、検出した符号誤り率が予め設定された閾値以上になると、受信パターンＰ１０と基準パターンＰ１３が非同期になったとみなし、これらのパターン間の同期をとるために、パターン一致検出部１５に対して受信パターンＰ１０に含まれる特定のパターンを検出させるための制御信号Ｓ３を出力する。この制御信号Ｓ３が入力されると、パターン一致検出部１０は入力される受信パターンＰ１０と検出パターン（これは先に用いた検出パターンと同じパターンである）との一致不一致を検出する動作を再開する。かかる動作を繰り返し行って対象物としてのディジタル伝送路で生ずる符号誤り率の測定が行われる。
【００２８】
フレームパターンを用いて測定を行う場合には、測定を開始する前に、ユーザは予め符号誤り率測定装置に対して、測定に用いるパターンがフレームパターンであること示す情報を入力する。以上の操作が終了してユーザが設定したフレームパターンが送信側から送信されてディジタル伝送路を介すると、受信パターンＰ１０としてパターン一致検出部１０で受信される。
【００２９】
受信パターンＰ１０を受信すると、パターン一致検出部１０において受信パターンＰ１０とユーザが設定したパターン情報信号Ｓ１，Ｓ２で示されるフレームパターンに応じた検出パターンとの内容の一致不一致が検出される。検出が行われた受信パターンＰ１０は前述したように、誤り率検出部１５へ出力されるが、パターン一致検出部１０において内容が不一致であると検出された場合には、パターン一致検出部１０からのトリガ信号Ｔｒが誤り検出部１５に入力されないため、誤り率検出部１５における誤り率の検出は行われない。
【００３０】
一方、パターン一致検出部１０において、受信信号Ｐ１０と検出パターンとの一致が検出されると、パターン一致検出部１０からトリガ信号Ｔｒが出力される。ここで、パターン情報信号Ｓ１はフレームパターンを示すものであるため、トリガ信号Ｔｒによってフレームパターン期待値レジスタ１３は動作状態となるが、ＰＮパターン生成部１１は非動作状態のままである。フレームパターン期待値レジスタ１３が動作状態になると、記憶されているフレームの内容が順次基準パターンＰ１２として出力される。
【００３１】
パターン情報信号Ｓ１はフレームパターンを示すものであるため、セレクタＰ１２によって基準パターンＰ１２が選択されて基準パターンＰ１３として出力される。誤り率検出部１５はパターン一致検出部１０から出力される受信パターンＰ１０とセレクタ１４から出力される基準パターンＰ１３との排他的論理和を演算し、これらのパターン間の一致不一致を検出して、単位時間当たりの符号誤り率を検出して検出結果を示す結果信号Ｓ１０を出力する。誤り検出部１５が以上の検出動作を行っている状態で、検出した符号誤り率が予め設定された閾値以上になると、ＰＮパターンを用いて測定を行う場合と同様に、パターン一致検出部１０に対して制御信号Ｓ３を出力し、受信パターンＰ１０と検出パターンの一致不一致を検出する動作を再開させる。
【００３２】
以上説明したように、本実施形態においては、符号誤り率を測定するために用いるパターンの種類に拘わらず、そのパターンに応じた検出パターンと受信パターンＰ１０とが一致する箇所（時点）を検出し、その時点からＰＮパターン又はフレームパターンの発生（出力）を開始している。このため、符号誤り率を測定するために用いるパターンの種類が複数種類あっても１つの回路で符号誤り率を測定することができるため、回路の小規模化、ひいてはコストの低減を図ることができる。
【００３３】
また、本実施形態においてはパターンの種類毎に固有な検出パターンを用い、この検出パターンが受信パターンに含まれる箇所（時点）をもって、ＰＮパターン（基準パターンＰ１１）の発生を開始し、又は、フレームパターン（基準パターン１２）の出力を開始させているため、受信パターンＰ１０と基準パターンＰ１１，Ｐ１２との同期を短時間でとることができる。その結果として測定に要する時間を短縮することができ、効率よくパターンの符号誤り率を測定することができる。
【００３４】
以上、本発明の一実施形態による符号誤り率測定装置について説明したが、本発明は上記実施形態に制限される訳ではなく、本発明の範囲内で自由に変更が可能である。例えば、上記実施形態においては、パターン情報信号Ｓ１の内容に応じて、トリガ信号Ｔｒが出力されたときに基準パターンＰ１１及び基準パターンＰ１２の何れか一方を出力させるようにしていた。しかしながら、トリガ信号Ｔｒが出力されたときに基準パターンＰ１１及び基準パターンＰ１２の両方を発生（出力）させて、これらの何れかをセレクタ１４で選択するように構成しても良い。
【００３５】
更に、上記実施形態においては、符号誤り率を測定するためにＰＮパターン又はフレームパターンを用いる場合を例に挙げて説明していたが、これらのパターン以外に、所定の周期性を有するパターン及び所定の形式を有するパターンを用いることも可能である。この場合においては、使用するパターンの一部として含まれる固有のパターンを検出パターンとして検出パターン一致検出部１０に記憶させておく必要がある。
【００３６】
【発明の効果】
以上説明したように、本発明によれば、パターンの種類に応じた特定の要素パターンをパターンの種類毎に記憶し、対象物から得られる受信パターンに応じた要素パターンを用いて受信パターンに含まれる特定の要素パターンを検出し、検出した時点で期待値パターンを少なくとも１つ発生させて、対象物から得られる受信パターンの種類に応じた期待値パターンを選択部で選択し、選択した期待値パターンと受信パターンとの一致不一致を検出するようにしている。このため、符号誤り率を測定するために用いるパターンの種類が複数種類あっても１つの装置で符号誤り率を測定することができるため、装置の小規模化、ひいてはコストの低減を図ることができるという効果がある。
また、パターンの種類に応じた要素パターンが受信パターンに含まれる箇所（時点）を検出し、この箇所（時点）をもって期待値パターンの発生を開始させているため、受信パターンと期待値パターンとの同期を短時間でとることができる。その結果として測定に要する時間を短縮することができ、効率よくパターンの符号誤り率を測定することができるという効果がある。
【図面の簡単な説明】
【図１】本発明の一実施形態による符号誤り率測定装置の構成を示すブロック図である。
【符号の説明】
１０　　　パターン一致検出部（同期検出部）
１１　　　ＰＮパターン生成部（パターン発生部、疑似ランダムパターン発生部）
１２　　　マーク率可変部（パターン発生部）
１３　　　フレームパターン期待値レジスタ（パターン発生部）
１４　　　セレクタ（選択部）
１５　　　誤り率検出部
Ｐ１０　　受信パターン
Ｐ１１　　基準パターン（期待値パターン）
Ｐ１２　　基準パターン（期待値パターン）
Ｐ１３　　基準パターン（期待値パターン）
Ｓ３　　　制御信号
Ｔｒ　　　トリガ信号
【図１】
2004096426.tif 000003